(57)【要約】  【課題】共有サーバ装置のユーザ毎に個別にユーザパスワードやユーザＩＤを設定しない場合などであっても、必要な情報にアクセスするための時間と手間を極力減らすことができるサーバ装置を提供することを目的とする。  【解決手段】複数のユーザからアクセスが可能で、前記ユーザ毎に対応した情報が格納される共有サーバ装置において、１つ又は複数の使用対象物の使用状況を検知する検知手段と、各使用対象物と当該使用対象物を使用するユーザの対応を示す使用ユーザ対応情報を記憶する使用ユーザ対応情報記憶手段と、前記検知手段による検知状態に応じて、前記使用ユーザ対応情報記憶手段に基づいていずれかの使用対象物を使用しているユーザを特定するユーザ特定手段と、ユーザが共有サーバ装置に格納された情報にアクセスする場合、前記ユーザ特定手段によって特定されたユーザに対応した情報へのアクセスを制限するアクセス制限手段とを有する。  【選択図】図２
2006227987.tif 000002
【特許請求の範囲】
【請求項１】
複数のユーザからアクセスが可能で、前記ユーザ毎に対応した情報が格納される共有サーバ装置において、
１つ又は複数の使用対象物の使用状況を検知する検知手段と、各使用対象物と当該使用対象物を使用するユーザの対応を示す使用ユーザ対応情報を記憶する使用ユーザ対応情報記憶手段と、前記検知手段による検知状態に応じて、前記使用ユーザ対応情報記憶手段に基づいていずれかの使用対象物を使用しているユーザを特定するユーザ特定手段と、ユーザが共有サーバ装置に格納された情報にアクセスする場合、前記ユーザ特定手段によって特定されたユーザに対応した情報へのアクセスを制限するアクセス制限手段とを有することを特徴とする共有サーバ装置。
【請求項２】
前記ユーザ毎に対応した情報は各ユーザと個別に対応した個人別情報又は当該個人別情報と複数のユーザが共有する共有情報であって、ユーザが共有サーバ装置に格納された情報にアクセスする場合、前記アクセス制限手段は前記ユーザ特定手段によって特定されたユーザに個別に対応した個人別情報へのアクセスを制限することを特徴とする請求項１に記載の共有サーバ装置。
【請求項３】
複数のユーザからアクセスが可能で、前記ユーザ毎に対応した情報が格納される共有サーバ装置における情報アクセス制御方法において、
１つ又は複数の使用対象物の使用状況を検知する検知手段と、各使用対象物と当該使用対象物を使用するユーザの対応を示す使用ユーザ対応情報を記憶する使用ユーザ対応情報記憶手段とを備え、
ユーザが共有サーバ装置に格納された情報にアクセスする場合、前記検知手段により使用している使用対象物を検知し、前記検知手段による検知状態に応じて、前記使用ユーザ対応情報記憶手段に基づいていずれかの使用対象物を使用しているユーザを特定し、特定されたユーザに対応する情報へのアクセスを制限することを特徴とする共有サーバ装置における情報アクセス制御方法。
【請求項４】
前記ユーザ毎に対応した情報は各ユーザに個別に対応した個人別情報又は当該個人別情報と複数のユーザが共有する共有情報であって、ユーザが共有サーバ装置に格納された情報にアクセスする場合、前記アクセス制限手段は特定されたいずれかの使用対象物を使用しているユーザに個別に対応した個人別情報へのアクセスを制限することを特徴とする請求項３に記載の共有サーバ装置。
【発明の詳細な説明】
【技術分野】
【０００１】
本発明は、パーソナルコンピュータ（以下、ＰＣという。）などの端末装置からネットワークを介して複数のユーザにアクセスされる共有サーバ装置に関する。
【背景技術】
【０００２】
従来、ＰＣなどの端末装置からネットワークを介して複数のユーザにアクセスされる情報を格納した共有サーバ装置があった。このような共有サーバ装置においては、共有サーバ装置の各ユーザに個別に設定されたユーザパスワードやユーザＩＤを共有サーバ装置にネットワークを介して接続された端末装置に入力することにより、共有サーバ装置に格納された情報のうちユーザ毎に必要な情報に限定してアクセスすることや、共有サーバ装置のユーザ以外の者による共有サーバ装置へのアクセス及びユーザ毎にアクセス権限のある情報への他のユーザによるアクセスを制限することができた。
しかしながら、このようにユーザ毎に個別のユーザパスワードやユーザＩＤを設定するのは面倒であった。また、各ユーザは共有サーバ装置に格納された情報にアクセスする毎にユーザパスワードやユーザＩＤを端末装置に入力しなければならず面倒であった。また、ユーザが自己のユーザパスワードやユーザＩＤを忘れてしまった場合には、もはや共有サーバ装置に格納された情報にアクセスすることが不可能になることがあった。さらに、ユーザパスワードやユーザＩＤの端末装置への入力をキーボードにより行う場合、キーボードによる文字入力に不慣れな小さな子供や指が不自由な年配者などにとってはユーザパスワードやユーザＩＤの入力が困難な場合があった。このような理由から、敢えて共有サーバ装置のユーザ毎に個別にユーザパスワードやユーザＩＤを設定しないことや、設定されたユーザパスワードやユーザＩＤを端末装置に入力しないことが考えられる。  
【特許文献１】特開２００２−１７１５０３号公報
【発明の開示】
【発明が解決しようとする課題】
【０００３】
しかし、共有サーバ装置のユーザ毎に個別にユーザパスワードやユーザＩＤを設定しない場合や、設定されたユーザパスワードやユーザＩＤを端末装置に入力しない場合には、共有サーバ装置に格納された情報のうちユーザ毎に必要な個人別情報に限定してアクセスすることができず、自己が必要とする情報にアクセスするために時間と手間がかかってしまうといった問題があった。  本発明はこのような問題に鑑みてなされたもので、共有サーバ装置のユーザ毎に個別にユーザパスワードやユーザＩＤを設定しない場合や、設定されたユーザパスワードやユーザＩＤを端末装置に入力しない場合であっても、各ユーザにとって不必要な情報へのアクセスを極力減らし、ひいては必要な情報にアクセスするための時間と手間を極力減らすことができる共有サーバ装置を提供することを目的とする。
【課題を解決するための手段】
【０００４】
請求項１に記載の共有サーバ装置は、複数のユーザからアクセスが可能で、前記ユーザ毎に対応した情報が格納される共有サーバ装置において、
１つ又は複数の使用対象物の使用状況を検知する検知手段と、各使用対象物と当該使用対象物を使用するユーザの対応を示す使用ユーザ対応情報を記憶する使用ユーザ対応情報記憶手段と、前記検知手段による検知状態に応じて、前記使用ユーザ対応情報記憶手段に基づいていずれかの使用対象物を使用しているユーザを特定するユーザ特定手段と、ユーザが共有サーバ装置に格納された情報にアクセスする場合、前記ユーザ特定手段によって特定されたユーザに対応した情報へのアクセスを制限するアクセス制限手段とを有することを特徴とする。
【０００５】
請求項２に記載の発明は、請求項１に記載の共有サーバ装置において、前記ユーザ毎に対応した情報は各ユーザと個別に対応した個人別情報又は当該個人別情報と複数のユーザが共有する共有情報であって、ユーザが共有サーバ装置に格納された情報にアクセスする場合、前記アクセス制限手段は前記ユーザ特定手段によって特定されたユーザに個別に対応した個人別情報へのアクセスを制限することを特徴とする。
【０００６】
請求項３に記載の共有サーバ装置における情報アクセス制御手段は、複数のユーザからアクセスが可能で、前記ユーザ毎に対応した情報が格納される共有サーバ装置における情報アクセス制御方法において、
１つ又は複数の使用対象物の使用状況を検知する検知手段と、各使用対象物と当該使用対象物を使用するユーザの対応を示す使用ユーザ対応情報を記憶する使用ユーザ対応情報記憶手段とを備え、
ユーザが共有サーバ装置に格納された情報にアクセスする場合、前記検知手段により使用している使用対象物を検知し、前記検知手段による検知状態に応じて、前記使用ユーザ対応情報記憶手段に基づいていずれかの使用対象物を使用しているユーザを特定し、特定されたユーザに対応する情報へのアクセスを制限することを特徴とする。
【０００７】
請求項４に記載の発明は、請求項３に記載の共有サーバ装置における情報アクセス制御方法において、前記ユーザ毎に対応した情報は各ユーザと個別に対応した個人別情報又は当該個人別情報と複数のユーザが共有する共有情報であって、ユーザが共有サーバ装置に格納された情報にアクセスする場合、前記アクセス制限手段は特定されたいずれかの使用対象物を使用しているユーザに個別に対応した個人別情報へのアクセスを制限することを特徴とする。
【発明の効果】
【０００８】
本発明によれば、ユーザが前記共有サーバ装置に格納された情報にアクセスするとき、前記ユーザ特定手段によって特定されたいずれかの使用対象物を使用しているユーザを前記共有サーバ装置に格納された情報にアクセスしていないユーザであるとみなし（いずれかの使用対象物を使用しているユーザが同時に前記共有サーバ装置に格納された情報にアクセスしている可能性は低いと考えられるため）、前記アクセス制限手段によっていずれかの使用対象物を使用しているユーザに対応する情報へのアクセスを制限することができる。
【０００９】
これにより、前記共有サーバ装置にアクセスしていないとみなされたユーザ（いずれかの使用対象物を使用しているユーザ）に対応する情報（前記共有サーバ装置に格納された情報にアクセスするユーザにとって不必要な情報）へアクセスしてしまう状態を極力減らすことができ、ひいては、前記共有サーバ装置に格納された情報にアクセスするユーザにとって必要な情報にアクセスするための時間と手間を極力減らすことができる。
【００１０】
また、本発明によれば、前記ユーザ毎に対応した情報が各ユーザに個別に対応した個人別情報、又は当該個人別情報と複数のユーザが共有する共有情報である場合には、ユーザが共有サーバ装置に格納された情報にアクセスするとき、前記ユーザ特定手段によって特定されたいずれかの使用対象物を使用しているユーザを前記共有サーバ装置に格納された情報にアクセスしていないユーザであるとみなし、いずれかの使用対象物を使用しているユーザ（前記共有サーバ装置に格納された情報にアクセスしていないとみなされたユーザ）と共有サーバ装置に格納された情報にアクセスしているユーザとが共有する共有情報へのアクセスは可能にしつつ、いずれかの使用対象物を使用しているユーザに個別に対応した個人別情報へのアクセスのみを制限することができる。
【００１１】
これにより、いずれかの使用対象物を使用しているユーザ（共有サーバ装置にアクセスしていないとみなされたユーザ）と共有サーバ装置に格納された情報にアクセスするユーザとが共有する共有情報（共有サーバ装置に格納された情報にアクセスするユーザにとって必要な情報）へのアクセスは可能にしつつ、共有サーバ装置にアクセスしていないとみなされたユーザ（いずれかの使用対象物を使用しているユーザ）に個別に対応する個人別情報（共有サーバ装置に格納された情報にアクセスするユーザにとって不必要な情報）へアクセスしてしまう状態を極力減らすことができ、ひいては、共有サーバ装置に格納された情報にアクセスするユーザにとって必要な情報にアクセスするための時間と手間を極力減らすことができる。
【発明を実施するための最良の形態】
【００１２】
本発明の一実施例として、父、母、長男、次男の4人がユーザとしてアクセスするファイルを情報の種類毎にフォルダによって区分して格納した共有サーバ１を例にして説明する。
【００１３】
図１は、共有サーバ１と、共有サーバ１にホームネットワークを介して接続されるＰＣ９a乃至９d及び使用対象物７a乃至７kの関係を示す図である。
【００１４】
父、母、長男、次男の各々は、共有サーバ１のユーザとして、ホームネットワークに接続されたＰＣ９a乃至９dのいずれかを用いて共有サーバ１にフォルダによって区分して格納されたファイルにアクセスすることができる。さらに、このホームネットワークには複数の使用対象物７a乃至７kが接続されている。
【００１５】
本実施例における使用対象物７a乃至７kは、例えば、図４に示す父用テレビ７a、キッチンの電灯７f、ゲーム機７kのように、父、母、長男、次男のうち１人又は複数のユーザに使用されるものである。各使用対象物７a乃至７kには当該使用対象物７a乃至７kが使用されている時にこの使用を示すフラグがセットされた状態にする使用状況判別回路８が設けられており、この使用状況判別回路８とホームネットワークにて接続された共有サーバ１に設けられた後述する検知回路２により当該使用対象物７a乃至７kの使用状況が検知される。
【００１６】
ここで、使用状況判別回路において図１に示す各使用対象物７a乃至７kが使用されていることを示すフラグがセットされた状態となるのは、父用テレビ７a、母用テレビ７eの場合にはこれらテレビの電源（遠隔操作のための待機電源を除く）がオンの状態の時、父用ソファ７bの場合には父用ソファ７bに内蔵された着座センサの電源がユーザの着座によってオンになっている状態の時、父の部屋の電灯７c、キッチンの電灯７f、長男の部屋の電灯７i及び次男の部屋の電灯７jの場合にはこれら電灯のオン／オフスイッチがオンになっている状態の時、父の部屋のエアコン７ｄの場合にはエアコンの電源（タイマー設定等のための待機電源を除く）がオンの状態の時、クッキングヒータ７gの場合にはクッキングヒータ７gの電源がオンの状態の時、ゲーム機の場合にはゲーム機７gの電源がオンの状態の時である。
【００１７】
また、反対に、使用状況判別回路において図１に示す各使用対象物７a乃至７kが使用されていることを示すフラグがリセットされた状態となるのは、父用テレビ７a、母用テレビ７eの場合にはこれらテレビの電源（遠隔操作のための待機電源を除く）がオフの状態の時、父用ソファ７bの場合には父用ソファ７bに内蔵された着座センサの電源がオフになっている状態の時、父の部屋の電灯７c、キッチンの電灯７f、長男の部屋の電灯７i及び次男の部屋の電灯７jの場合にはこれら電灯のオン／オフスイッチがオフになっている状態の時、父の部屋のエアコン７ｄの場合にはエアコンの電源（タイマー設定等のための待機電源を除く）がオフの状態の時、クッキングヒータ７gの場合にはクッキングヒータ７gの電源がオフの状態の時、ゲーム機の場合にはゲーム機７gの電源がオフの状態の時である。
【００１８】
尚、本実施例においては、いずれかの使用対象物７a乃至７kを使用しているユーザを共有サーバ１に格納された各ユーザに個別に対応した個人別情報に関するファイルにアクセスしていないユーザであるとみなすため、図４に示すように、共有サーバ１と接続されたＰＣ９と同時に使用される可能性が低い物が使用対象物７a乃至７kとして設定されている。
【００１９】
図２は、共有サーバ１の概略構成を示すブロック図である。
【００２０】
検知回路２は、検知手段として機能し、各使用対象物７a乃至７kの使用状況を検知し、この検知結果（使用中又は未使用）を検知信号として後述するユーザ特定回路４に出力する。
【００２１】
ここで、検知回路２による各使用対象物７a乃至７kの使用状況の具体的検知方法を図３のフローチャートを用いて説明する。
【００２２】
初めに、共有サーバ１がＰＣ９から送信されるアクセス要求を受信すると（Ｓ１）、共有サーバ１に設けられた検知回路２は、ホームネットワークを介して接続された各使用対象物７a乃至７kに設けられた使用状態判別回路８にアクセスし、使用対象物７a乃至７k毎の使用状況を示すフラグの状態（セットされているか否か）を検知する（Ｓ２）。この検知の結果、フラグがセットされている使用対象物７a乃至７kについては当該使用対象物７a乃至７kが使用されていることを示す検知信号を後述するユーザ特定回路４に出力する一方（Ｓ３）、フラグがセットされていない使用対象物７a乃至７kについては当該使用対象物７が使用されていないことを示す検知信号をユーザ特定回路４に出力する（Ｓ４）。
【００２３】
使用ユーザ対応情報記憶回路３は、使用ユーザ対応情報記憶手段として機能し、図４に示すように、各使用対象物７a乃至７kと当該使用対象物７a乃至７kを使用するユーザの対応を示す使用ユーザ対応情報を記憶するものである。
【００２４】
ここで、図４に示す使用ユーザ対応情報は、１つ又は複数の使用対象物７a乃至７kを使用しているユーザが父、母、長男、次男のうち１人又は複数のユーザである可能性を数値で表したものであり、１つ又は複数の使用対象物７a乃至７kに対応する数値を父、母、長男、次男毎に合計し、これらの合計値が１.0以上であるユーザが後述するユーザ特定回路４によっていずれかの使用対象物７a乃至７kを使用しているユーザとして判断される。尚、このような数値は父、母、長男、次男による過去の各使用対象物７a乃至７kの使用状況に基づいて予め設定されているものであり、その後の各使用対象物７a乃至７kの使用状況に応じて適宜設定が変更されるものである。
【００２５】
つまり、例えば、使用対象物として父用テレビ７aのみ使用されている場合、この父用テレビ７aに対応する数値は、図４に示す使用ユーザ対応情報を参照すると、父については１.0、母については0.2、長男については0.0、次男については0.0である。従って、これらの合計値が１.0以上のユーザである父がいずれかの使用対象物７a乃至７kを使用しているユーザとして判断される。
【００２６】
また、例えば、使用対象物としてクッキングヒータ７gと電子レンジ７hが同時に使用されている場合、このクッキングヒータ７gに対応する数値と電子レンジ７hに対応する数値の合計値は、図４に示す使用ユーザ対応情報を参照すると、父については0.8、母については1.4、長男については0.4、次男については0.4である。従って、これらの合計値が1.0以上のユーザである母がいずれかの使用対象物各使用対象物７a乃至７kを使用しているユーザとして判断される。
【００２７】
さらに、例えば、使用対象物として長男の部屋の電灯７iと次男の部屋の電灯７i及びゲーム機７kが同時に使用されている場合、この長男の部屋の電灯７iに対応する数値と次男の部屋の電灯７jに対応する数値及びゲーム機７kに対応する数値の合計値は、図４に示す使用ユーザ対応情報を参照すると、父については0.3、母については0.7、長男については1.5、次男については1.5である。従って、これらの合計値が１.0以上のユーザである長男と次男がいずれかの使用対象物７a乃至７kを使用しているユーザとして判断される。
【００２８】
ユーザ特定回路４は、ユーザ特定手段として機能し、検知回路２から出力される各使用対象物７a乃至７kの使用状況についての検知信号を入力し、この検知信号により得られる検知結果（使用中又は未使用）に応じて、使用ユーザ対応情報を参照することにより、いずれかの使用対象物７a乃至７kを使用しているユーザを特定する。
【００２９】
アクセス制限回路５は、アクセス制限手段として機能し、共有サーバ１にフォルダによって区分して格納されたファイルにアクセスしているユーザが、ユーザ特定回路４によって特定されたいずれかの使用対象物７a乃至７kを使用しているユーザと個別に対応する個人別情報に関するファイルへアクセスできないように制限する。
【００３０】
情報保存部６は、各ユーザと個別に対応した個人別情報に関するファイルや複数のユーザが共有する共有情報に関するファイルを、フォルダにより情報の種類毎に区分して格納している。つまり、このフォルダには、図５に示すように、「仕事関係」、「家計簿」、「学習教材」、「学習教材２」など父、母、長男、次男の各々に個別に対応した個人別情報毎に区分されたフォルダもあれば、「伝言板」、「テレビ２」など父、母、長男、次男のうち複数のユーザが共有する共有情報毎に区分されたフォルダもある。
【００３１】
図６は、本実施例に係る共有サーバ１の処理の流れの概要を示すフローチャートである。
【００３２】
初めに、図５に示す父、母、長男、次男に個別に対応した個人別情報に関するファイルと父、母、長男、次男のうち複数のユーザが共有する共有情報に関するファイルが格納された共有サーバ１がＰＣから送信されるアクセス要求を受信すると（Ｓ１）、検知回路２によって各使用対象物７a乃至７kの使用状況が検知され（Ｓ２）、その検知結果（使用中又は未使用）が検知信号としてユーザ特定回路４に出力される。次に、ユーザ特定回路４は検知回路２による検知結果（使用中又は未使用）に応じて、図４に示す使用ユーザ対応情報記憶情報を参照して（Ｓ３）、いずれかの使用対象物７a乃至７kを使用している１人又は複数人のユーザを父、母、長男、次男の中から特定する（Ｓ４）。そして、アクセス制限回路５が、共有サーバ１に格納されたこれらの情報に関するファイルのうち、ユーザ特定回路４によって特定されたユーザに個別に対応する個人別情報に関するファイルへアクセスできないように制限する（Ｓ５）。
【００３３】
本実施例においては、父、母、長男、次男のうち１人又は複数のユーザが共有サーバ１に格納されたファイルにアクセスする場合、父、母、長男、次男の中からユーザ特定回路４によって特定されたいずれかの使用対象物７a乃至７kを使用している一人又は複数人のユーザを共有サーバ１に格納されたファイルにアクセスしていないユーザであるとみなし、いずれかの使用対象物７a乃至７kを使用しているユーザ（前記共有サーバ１に格納されたファイルにアクセスしていないとみなされたユーザ）と共有サーバ１に格納されたファイルにアクセスするユーザとが共有する共有情報に関するファイルへのアクセスは可能にしつつ、いずれかの使用対象物を使用しているユーザに個別に対応した個人別情報に関するファイルのみへのアクセスを制限することができる。
【００３４】
これにより、いずれかの使用対象物７a乃至７kを使用しているユーザと共有サーバ１に格納されたファイルにアクセスしているユーザとが共有する共有情報に関するファイル（共有サーバ１に格納された情報にアクセスするユーザにとって必要な情報）へのアクセスは可能にしつつ、共有サーバ１にアクセスしていないとみなされたユーザ（いずれかの使用対象物７a乃至７kを使用しているユーザ）に個別に対応する個人別情報に関するファイル（共有サーバ１に格納されたファイルにアクセスするユーザにとって不必要なファイル）へアクセスしてしまう状態を極力減らすことができ、ひいては、共有サーバ１に格納されたファイルにアクセスするユーザにとって必要なファイルにアクセスするための時間と手間を極力減らすことができる。
【００３５】
次に、本実施例に係る共有サーバ１の処理の具体例について、図４、図５を用いて説明する。
【００３６】
検知回路２による検知の結果、例えば父用テレビ７aのみ使用されている場合、ユーザ特定回路４は、図４に示す使用ユーザ対応情報記憶情報を参照して、この父用テレビ７aに対応する数値が1.0以上である父を、いずれかの使用対象物７a乃至７kを使用しているユーザとして特定する。
【００３７】
ここで、父以外のユーザ（母、長男、次男のうちいずれかのユーザ）が共有サーバ１に格納されたファイルにアクセスしている場合に、アクセス制限回路５は、ユーザ特定回路４によって特定されたユーザである父に個別に対応する個人別情報である「仕事関係」のフォルダ内にあるファイルへアクセスできないように制限する。これにより、例えば、父以外のユーザにとって不必要と考えられる「仕事関係」のフォルダ内のファイル（例えば、図７に示すファイル）へのアクセスを制限することができる。
【００３８】
また、検知回路２による検知の結果、例えば父用テレビ７aと母用テレビ７eが同時に使用されている場合、ユーザ特定回路４は図４に示すユーザ対応情報を参照して、この父用テレビ７aに対応する数値が1.0以上である父、及びこの母用テレビ７eに対応する数値が1.0以上である母を、いずれかの使用対象物７a乃至７kを使用しているユーザとして特定する。そして、父と母以外のユーザ（長男及び次男のうちいずれかのユーザ）が共有サーバ１に格納されたファイルにアクセスしている場合に、アクセス制限回路５は、ユーザ特定回路４によって特定されたユーザである父及び母に個別に対応する個人別情報である「仕事関係」、「家計簿」のフォルダ内のファイルへのアクセスを制限する。これにより、父及び母以外のユーザにとって不必要であると考えられる「仕事関係」、「家計簿」のフォルダ内のファイルへのアクセスを制限することができる。
【００３９】
尚、本発明の実施例においては、ユーザ特定回路４によって特定されたいずれかの使用対象物７a乃至７kを使用しているユーザを共有サーバ１に格納されたファイルにアクセスしていないユーザであるとみなすことを前提としているが、この例外として、このようにみなすことが適当ではない以下のような場合が想定される。
【００４０】
例えば、父用テレビ７aのみ使用されている場合、父がいずれかの使用対象物７a乃至７kを使用しているユーザとして特定され、父は共有サーバ１に格納されたファイルにアクセスしていないとみなされることが前提であるが、この例外として、例えば、前述のように例えば父用テレビ７aのみ使用されている場合には父がいずれかの使用対象物７a乃至７kを使用しているユーザとして特定されるが、実際はこの父用テレビ７aを父以外のユーザである母、長男、次男が使用していたというような場合、このように父をいずれかの使用対象物７a乃至７kを使用しているユーザと特定すること（父が共有サーバ１に格納されたファイルにアクセスしていないとみなすこと）が不都合な場合も想定される。つまり、共有サーバ１に格納されたファイルに父がアクセスしているにも関わらず、父以外ユーザが父用テレビ７aを使用することによりアクセス制限回路５が父に対応する個人別情報に関するファイルへのアクセスを制限してしまい、父は自己に対応する個人別情報に関するファイルにアクセスできなくなってしまうといった事態が生じてしまう。
【００４１】
そこで、このような場合には臨時の手段として、ＰＣ９によって共有サーバ１に格納されているファイルにアクセスしている父が管理用パスワードや管理用IDをこのPC９に入力し、共有サーバ１に格納されたファイルへアクセス可能なユーザであることを確認するためのユーザ認証を行う。そして、共有サーバ１に格納されたファイルへのアクセスが可能なユーザであることが確認できた場合には、アクセス制限回路５がユーザ特定回路４によって特定された父に対応する個人別情報に関するファイルへのアクセスの制限を解除することにより、父が共有サーバ１に格納された全てのファイルにアクセスできるようにする。
【００４２】
尚、本実施例においては、アクセス制限回路５は、共有サーバ１にアクセスしていないとみなされたユーザ（いずれかの使用対象物７a乃至７kを使用しているユーザ）に個別に対応する個人別情報に関するファイルについてのみアクセスを制限しているが、本発明はこれに限らず、共有サーバ１にアクセスしていないとみなされたユーザに個別に対応する個人別情報のみならず、アクセスしていないとみなされたユーザと共有サーバに格納されたファイルにアクセスしているユーザが共有する共有情報に関するファイルについても制限してよい。
【００４３】
また、本発明の実施例においては、検知回路２と使用ユーザ対応情報記憶回路３とユーザ特定回路４及びアクセス制限回路５は全て共有サーバ１に設けられているが、本発明はこれに限らず、これらの回路のうち少なくとも１つが共有サーバ１に外付けされた装置などに設けられてもよい。
【００４４】
また、本発明の実施例においては、ホームネットワークを介して端末装置としてのＰＣと接続される共有サーバ１を例にして説明したが、本発明はこれに限られず、例えばインターネットなどおよそ全てのネットワークを介して端末装置と接続される共有サーバにも適応可能である。
【図面の簡単な説明】
【００４５】
【図１】共有サーバと、この共有サーバにホームネットワークを介して接続されるＰＣ及び使用対象物の関係を示す図である。
【図２】共有サーバの概略構成を示すブロック図である。
【図３】各使用対象物の使用状況の具体的検知方法を示すフローチャートである。
【図４】各使用対象物とこの使用対象物を使用するユーザの対応を示す表である。
【図５】共有サーバの各ユーザとこの各ユーザに対応した情報の関係を示す表である。
【図６】本実施例に係る共有サーバの処理の流れの概要を示すフローチャートである。
【図７】「仕事関係」の個人別情報に関するファイルの表示例を示す図である。
【符号の説明】
【００４６】
１  共有サーバ 
２  検知回路
３  ユーザ対応情報記憶回路
４  ユーザ特定回路
５  アクセス制限回路
６  情報保存部
【図１】
2006227987.tif 000003
【図２】
2006227987.tif 000004
【図３】
2006227987.tif 000005
【図４】
2006227987.tif 000006
【図５】
2006227987.tif 000007
【図６】
2006227987.tif 000008
【図７】
2006227987.tif 000009